(57)【要約】【課題】抗菌性が高く、製造コストが低いパンチング加工で成形された金属製の網かごであって、捕集されたゴミの除去性を向上させることができる、あるいは清掃性を向上させることができる網かごを提供することを目的とする。【解決手段】キッチンのシンクに設けられた排水口の部分に設置される金属製の網かごであって、前記排水口の部分に当接する縁部と、複数の通水孔を有し前記縁部から下方へ延在する受け部であって下端に設けられた下端部へ向かって傾斜する傾斜部を有する受け部と、を備え、前記複数の通水孔のそれぞれの開口面積は、略均一であり、ゴミを含んだ水が前記受け部に流れると、前記傾斜部から前記下端部へ前記水を誘導することにより前記下端部に前記ゴミを集めることを特徴とする網かごである。【選択図】図２
2016160729.tif 000002
【特許請求の範囲】
【請求項１】
キッチンのシンクに設けられた排水口の部分に設置される金属製の網かごであって、
前記排水口の部分に当接する縁部と、
複数の通水孔を有し前記縁部から下方へ延在する受け部であって下端に設けられた下端部へ向かって傾斜する傾斜部を有する受け部と、
を備え、
前記複数の通水孔のそれぞれの開口面積は、略均一であり、
ゴミを含んだ水が前記受け部に流れると、前記傾斜部から前記下端部へ前記水を誘導することにより前記下端部に前記ゴミを集めることを特徴とする網かご。
【請求項２】
前記通水孔による前記受け部の総開口率は、１パーセント以上、４０パーセント以下であることを特徴とする請求項１記載の網かご。
【発明の詳細な説明】
【技術分野】
【０００１】
本発明の態様は、一般的に、網かごに関し、具体的にはキッチンのシンクに設けられる網かごに関する。
【背景技術】
【０００２】
キッチンのシンクの排水口の部分に設置される網かごは、排水を妨げることなく、シンクを流れる水に含まれるゴミを捕集する。ゴミとしては、例えば、野菜の皮や、食器に付着した細かい厨芥などが挙げられる。水に含まれるゴミが排水口を通して流れると、例えば、排水トラップの詰まりが生ずるおそれや、ゴミが河川に流れることにより水質汚染が生ずるおそれがある。そのため、網かごは、キッチンのシンクの排水口の部分に必要とされている。
【０００３】
例えば、排出される水や洗剤などにより腐食が生ずることを抑えるため、あるいは凹凸が表面に生ずることを抑えるため、ステンレスなどの金属を用いて製作された網かごがある。一般的に、金属製の網かごの抗菌性は、樹脂製の網かごの抗菌性よりも高い。例えば、金属製の網かごあるいは金属製のストレーナには、パンチング加工が施された金属の材料（パンチングメタル）が用いられる（特許文献１）。金属製の網かごの通水孔（水を通す孔）を成形するときにパンチング加工が用いられると、略均一な孔径の通水孔を成形することができる。また、比較的簡単に略均一な開口面積の通水孔が設けられた網かごを成形することができ、製造コストを抑えることができる。
【０００４】
しかし、このような金属製の網かごにおいて、底部の周りに設けられた側部の通水孔を通して水が比較的早く流れ落ちると、ゴミが側部に滞留することがある。すなわち、ゴミが底部の中心部には集まらず、底部の周りに設けられた側部の略全体に散乱した状態で滞留することがある。ゴミが側部の略全体に散乱した状態で滞留すると、使用者が網かごの内側のゴミを除去する際に網かごを引っ繰り返しても、ゴミは落ちないことがある。この場合には、使用者は、網かごの内側のゴミを掻き出して除去する必要がある。そのため、網かごに捕集されたゴミの除去性あるいは網かごの清掃性の向上が望まれている。
【先行技術文献】
【特許文献】
【０００５】
【特許文献１】特開２０１０−１２６９８３号公報
【発明の概要】
【発明が解決しようとする課題】
【０００６】
本発明は、かかる課題の認識に基づいてなされたものであり、抗菌性が高く、製造コストが低いパンチング加工で成形された金属製の網かごであって、捕集されたゴミの除去性を向上させることができる、あるいは清掃性を向上させることができる網かごを提供することを目的とする。
【課題を解決するための手段】
【０００７】
第１の発明は、キッチンのシンクに設けられた排水口の部分に設置される金属製の網かごであって、前記排水口の部分に当接する縁部と、複数の通水孔を有し前記縁部から下方へ延在する受け部であって下端に設けられた下端部へ向かって傾斜する傾斜部を有する受け部と、を備え、前記複数の通水孔のそれぞれの開口面積は、略均一であり、ゴミを含んだ水が前記受け部に流れると、前記傾斜部から前記下端部へ前記水を誘導することにより前記下端部に前記ゴミを集めることを特徴とする網かごである。
【０００８】
この網かごによれば、ゴミが受け部の略全体に散乱して滞留することを抑えることができる。受け部の下端部に集まったゴミは、水の粘性により互いに付着し、集合体を形成する。ゴミの集合体は、集合体を形成していないゴミよりも重い。そのため、使用者は、網かごを引っ繰り返すことにより、網かごの内側のゴミを除去することができる。これにより、網かごは、捕集されたゴミの除去性を向上させることができる。あるいは、網かごは、清掃性を向上させることができる。
【０００９】
第２の発明は、第１の発明において、前記通水孔による前記受け部の総開口率は、１パーセント以上、４０パーセント以下であることを特徴とする網かごである。
【００１０】
この網かごによれば、受け部の総開口率は、比較的低い。そのため、網かごへ流れ込んだ水が通水孔を通過する性能（通水性）は、比較的低い。そのため、ゴミを含んだ水であって受け部に流れ込んだ水は、通水孔を通過し難い。これにより、網かごは、受け部にゴミを散乱させることなく受け部の下端部にゴミを集めることができる。
【００１１】
受け部の下端部に集まったゴミは、水の粘性により互いに付着し、集合体を形成する。ゴミの集合体は、集合体を形成していないゴミよりも重い。そのため、使用者は、網かごを引っ繰り返すことにより、網かごの内側のゴミを除去することができる。これにより、網かごは、捕集されたゴミの除去性を向上させることができる。あるいは、網かごは、清掃性を向上させることができる。
【発明の効果】
【００１２】
本発明の態様によれば、抗菌性が高く、製造コストが低いパンチング加工で成形された金属製の網かごであって、捕集されたゴミの除去性を向上させることができる、あるいは清掃性を向上させることができる網かごが提供される。
【図面の簡単な説明】
【００１３】
【図１】本発明の実施の形態にかかる網かごが設置されたキッチンのシンクを表す模式的斜視図である。
【図２】本実施形態の排水口の部分を拡大した模式的拡大図である。
【図３】本実施形態にかかる網かごを表す模式的斜視図である。
【図４】本実施形態にかかる網かごを表す模式的平面図である。
【図５】図４に表した切断面Ａ−Ａにおける模式的断面図である。
【図６】図４に表した切断面Ｂ−Ｂにおける模式的断面図である。
【図７】本実施形態の通水孔の具体例を表す模式的平面図である。
【図８】本発明者が実施した検討の結果の一例を例示する写真である。
【発明を実施するための形態】
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる網かごが設置されたキッチンのシンクを表す模式的斜視図である。  
図２は、本実施形態の排水口の部分を拡大した模式的拡大図である。  
図１（ａ）および図２（ａ）は、蓋部材２３１が網かご１００の上に設けられた状態を表す模式的斜視図である。図１（ｂ）および図２（ｂ）は、蓋部材２３１が取り除かれた状態を表す模式的斜視図である。
【００１５】
図１（ａ）および図１（ｂ）に表したキッチンのシンク２１０には、吐水部２２０と、蓋部材２３１と、網かご１００と、が設けられている。図１（ｂ）および図２（ｂ）に表したように、シンク２１０は、排水口２３３を有する。例えば、排水口２３３は、片隅の奥側の部分に設けられている。図１（ａ）および図１（ｂ）に表したシンク２１０では、排水口２３３は、シンク２１０の右側面２１１と、シンク２１０の後側面２１３と、の間のコーナ部に設けられている。
【００１６】
吐水部２２０は、第１のスパウト２２１と、第２のスパウト２２２と、を有する。但し、吐水部２２０は、第１のスパウト２２１と、第２のスパウト２２２と、を必ずしも有していなくともよく、１つ以上のスパウトを有していればよい。吐水部２２０は、シンク２１０へ向かって水を吐出する。
【００１７】
シンク２１０の底面２１５は、略平坦な形状を呈し、排水口２３３へ向かって傾斜している。図１（ａ）および図１（ｂ）に表した矢印Ａ１〜Ａ６のように、吐水部２２０から吐出された水は、シンク２１０の底面２１５の傾斜に沿って流れ、排水口２３３へ向かう。
【００１８】
図２（ｂ）に表したように、本実施形態にかかる網かご１００は、排水口２３３の部分に設置される。図２（ａ）に表したように、蓋部材２３１は、網かご１００の上に設けられる。網かご１００は、例えばステンレスなどの金属を用いて製作され、シンク２１０を流れる水に含まれるゴミを捕集する。ゴミとしては、例えば、野菜の皮や、食器に付着した細かい厨芥などが挙げられる。
【００１９】
図３は、本実施形態にかかる網かごを表す模式的斜視図である。  
図４は、本実施形態にかかる網かごを表す模式的平面図である。  
図５は、図４に表した切断面Ａ−Ａにおける模式的断面図である。  
図６は、図４に表した切断面Ｂ−Ｂにおける模式的断面図である。
【００２０】
図３および図４に表したように、本実施形態にかかる網かご１００は、縁部１１０と、受け部１２０と、を備える。縁部１１０は、網かご１００の上端部に設けられ、網かご１００が排水口２３３の部分に設置された状態において排水口２３３の周りの部分に当接する。受け部１２０は、縁部１１０から下方へ延在し、シンク２１０を流れる水に含まれるゴミを捕集する。
【００２１】
図５および図６に表したように、受け部１２０は、傾斜部１２５を有する。傾斜部１２５は、下端部１２３へ向かって傾斜している。下端部１２３は、受け部１２０の下端あるいは網かご１００の下端に設けられている。図３〜図６に表した網かご１００の例では、受け部１２０は、側部１３０と、底部１４０と、を有する。側部１３０は、縁部１１０から下方へ延在している。底部１４０は、側部１３０と接続され、側部１３０に周りを囲まれている。底部１４０は、網かご１００の底面を形成し、受け部１２０の下端部１２３へ向かって傾斜している。
【００２２】
図５および図６に表したように、側部１３０および底部１４０は、下方へ傾斜している。この場合には、傾斜部１２５は、側部１３０および底部１４０にわたって存在する。一方で、側部１３０は、網かご１００が排水口２３３の部分に設置された状態において上下方向（鉛直方向）に延在していてもよい。この場合には、傾斜部１２５は、側部１３０には存在せず、底部１４０に存在する。
【００２３】
なお、側部１３０と底部１４０との間の境界は、必ずしも明確でなくともよい。つまり、受け部１２０は、側部１３０と、底部１４０と、を必ずしも有していなくともよい。例えば、受け部１２０は、底部１４０が縁部１１０と直接的に接続された構造を有していてもよい。
【００２４】
受け部１２０は、通水孔１２１（図７（ａ）〜図７（ｃ）参照）を有する。通水孔１２１は、網かご１００の内側に流れてきた水を網かご１００の外側へ通す。すなわち、通水孔１２１は、シンク２１０を流れ網かご１００の内側に入ってきた水を排水口２３３へ向かって通す。  
ここで、受け部１２０に設けられた通水孔１２１について、図面を参照しつつさらに説明する。
【００２５】
図７は、本実施形態の通水孔の具体例を表す模式的平面図である。  
図７（ａ）〜図７（ｃ）は、本実施形態の受け部１２０の表面を拡大した模式的拡大図である。
【００２６】
図７（ａ）〜図７（ｃ）に表したように、受け部１２０は、通水孔１２１を有する。図７（ａ）〜図７（ｃ）に表した具体例では、通水孔１２１の形状は、円形である。但し、通水孔１２１の形状は、円形には限定されず、例えば六角形や四角形などであってもよい。
【００２７】
通水孔１２１は、パンチング加工が施されることで成形される。つまり、本実施形態にかかる網かご１００には、パンチング加工が施された金属の材料（パンチングメタル）が用いられる。そのため、複数の通水孔１２１のそれぞれの径は、略均一である。言い換えれば、パンチング加工が施されたときに、複数の通水孔１２１のそれぞれの開口面積は、略均一である。なお、本願明細書において、「略均一な径」とは、例えば誤差が１０パーセント以内のものであり、「略均一な開口面積」とは、例えば誤差が２５パーセント以内のものである。
【００２８】
網かご１００を成形するプレス加工が施されると、複数の通水孔１２１の少なくともいずれかの形状が変形することがある。例えば、パンチング加工が施されたときに円形であった通水孔１２１の形状が、楕円形などのように円形とは異なる形状に変形することがある。この場合でも、複数の通水孔１２１のそれぞれの開口面積は、略均一である。
【００２９】
図７（ａ）および図７（ｂ）に表した具体例の通水孔１２１の配列は、例えば「千鳥」などと呼ばれる。図７（ａ）に表した具体例の通水孔１２１の配列は、例えば「６０°千鳥」などと呼ばれる。図７（ｂ）に表した具体例の通水孔１２１の配列は、例えば「４５°千鳥」などと呼ばれる。図７（ｃ）に表した具体例の通水孔１２１の配列は、「並列」などと呼ばれる。なお、本実施形態の通水孔１２１の配列は、図７（ａ）〜図７（ｃ）に表した具体例には限定されない。
【００３０】
次に、図３〜図６に戻って本実施形態にかかる網かご１００について説明する。  
ゴミを含んだ水が受け部を流れるときに、その水が受け部の下端部ではなく側部および底部の傾斜面の少なくともいずれかの通水孔を通して比較的早く流れ落ちると、ゴミが側部および底部の傾斜面に滞留することがある。すなわち、ゴミが受け部の下端部には集まらず、例えば側部の略全体に散乱した状態で滞留することがある。ゴミが側部の略全体に散乱した状態で滞留すると、使用者が網かごの内側のゴミを除去する際に網かごを引っ繰り返しても、ゴミ（例えば重量が小さいゴミ）が水の粘性で網かごに張り付き、落ちないことがある。この場合には、使用者は、網かごの内側のゴミを掻き出して除去する必要がある。
【００３１】
これに対して、本実施形態にかかる網かご１００は、ゴミを含んだ水が受け部１２０に流れると、その水を傾斜部１２５から下端部１２３へ誘導することにより受け部１２０の下端部１２３にゴミを集める。言い換えれば、本実施形態にかかる網かご１００は、受け部１２０の下端部１２３および下端部１２３の近傍にゴミを集める。
【００３２】
これによれば、ゴミが側部１３０および底部１４０の少なくともいずれかの略全体に散乱して滞留することを抑えることができる。受け部１２０の下端部１２３に集まったゴミは、水の粘性により互いに付着し、集合体を形成する。ゴミの集合体は、集合体を形成していないゴミよりも重い。そのため、使用者は、網かご１００を引っ繰り返すことにより、網かご１００の内側のゴミを除去することができる。これにより、本実施形態にかかる網かご１００は、捕集されたゴミの除去性を向上させることができる。また、本実施形態にかかる網かご１００は、清掃性を向上させることができる。
【００３３】
次に、受け部の総開口率について、図面を参照しつつ説明する。  
図８は、本発明者が実施した検討の結果の一例を例示する写真である。  
図８（ａ）は、本実施形態にかかる網かご１００を用いた検討の結果の一例を例示する写真である。図８（ｂ）は、比較例にかかる網かごを用いた検討の結果の一例を例示する写真である。
【００３４】
本発明者は、受け部１２０の総開口率について検討を行った。  
ここで、本願明細書において「総開口率」とは、通水孔１２１が設けられていない状態の受け部１２０の面積に対する全ての通水孔１２１の面積の割合をいう。  
図８（ａ）に表した本実施形態にかかる網かご１００の受け部１２０の総開口率は、４０パーセント（％）である。図８（ｂ）に表した比較例にかかる網かご１００ａの受け部１２０ａの総開口率は、５０％である。
【００３５】
図１（ａ）〜図２（ｂ）に関して前述したように、本発明者は、シンク２１０の排水口２３３の部分に網かご１００、１００ａを設置した。続いて、水の流量を７リットル（Ｌ）／分に設定し、水とともに茶葉を流した。このように、本検討では、本実施形態のゴミとして茶葉を用いた。網かご１００、１００ａに捕集された茶葉の状態の一例は、図８（ａ）および図８（ｂ）に表した通りである。
【００３６】
図８（ｂ）に表したように、比較例にかかる網かご１００ａを排水口２３３の部分に設置した場合には、ゴミは、受け部１２０ａの下端部（図５および図６参照）には集まらず、側部１３０ａおよび底部１４０ａに散乱した状態で滞留している。これは、受け部１２０ａの総開口率が５０％であるため、水が側部１３０ａの通水孔および底部１４０ａの通水孔を通して比較的早く流れ落ちたためであると考えられる。
【００３７】
これに対して、図８（ａ）に表したように、排水口２３３の部分にかかる網かご１００を設置した場合には、ゴミは、受け部１２０の下端部１２３に散らばることなく集まっている。言い換えれば、ゴミは、受け部１２０の下端部１２３および下端部１２３の近傍に集まっている。
【００３８】
本実施形態の受け部１２０の総開口率は、比較例の受け部１２０ａの総開口率よりも低い。そのため、比較例にかかる網かご１００ａと比較すると、網かご１００へ流れ込んだ水が通水孔１２１を通過する性能（通水性）は、低下する。そのため、比較例にかかる網かご１００ａと比較すると、茶葉を含んだ水であって受け部１２０に流れ込んだ水は、通水孔１２１を通過し難い。これにより、本実施形態にかかる網かご１００は、側部１３０および底部１４０の少なくともいずれかに茶葉を散乱させることなく受け部１２０の下端部１２３に茶葉を集めることができる。
【００３９】
本実施形態の受け部１２０の総開口率が比較例の受け部１２０ａの総開口率よりも低い一方で、本実施形態にかかる網かご１００は、水の排出が妨げられることを抑える。本実施形態の受け部１２０の総開口率は、１パーセント（％）以上、４０％以下であることが好ましい。受け部１２０の総開口率が４０％以下であることが好ましいことは、図８（ａ）に関して前述した通りである。受け部１２０の総開口率が１％以上であることが好ましいことは、ベターリビング規格（ＢＬ規格）に基づいている。すなわち、ＢＬ規格によれば、シンク２１０に貯留された２０リットルの水を１分間で排水口２３３から排出可能であることが求められている。これに基づくと、受け部１２０の総開口率は、１％以上であることが好ましい。
【００４０】
これによれば、受け部１２０の下端部１２３に集まったゴミは、水の粘性により互いに付着し、集合体を形成する。ゴミの集合体は、集合体を形成していないゴミよりも重い。そのため、使用者は、網かご１００を引っ繰り返すことにより、網かご１００の内側のゴミを除去することができる。これにより、本実施形態にかかる網かご１００は、捕集されたゴミの除去性を向上させることができる。また、本実施形態にかかる網かご１００は、清掃性を向上させることができる。
【００４１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、網かご１００およびシンク２１０などが備える各要素の形状、寸法、材質、配置などや通水孔１２１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１００、１００ａ 網かご、  １１０ 縁部、  １２０、１２０ａ 受け部、  １２１ 通水孔、  １２３ 下端部、  １３０、１３０ａ 側部、  １４０、１４０ａ 底部、  ２１０ シンク、  ２１１ 右側面、  ２１３ 後側面、  ２１５ 底面、  ２２０ 吐水部、  ２２１ 第１のスパウト、  ２２２ 第２のスパウト、  ２３１ 蓋部材、  ２３３ 排水口
【図１】
2016160729.tif 000003
【図２】
2016160729.tif 000004
【図３】
2016160729.tif 000005
【図４】
2016160729.tif 000006
【図５】
2016160729.tif 000007
【図６】
2016160729.tif 000008
【図７】
2016160729.tif 000009
【図８】
2016160729.tif 000010